(57)【要約】【課題】ディスクドライブが縦置きの場合にディスクの脱落を確実に防止できるとともに、横置きの場合はトレイを高速で開閉できる装置を提供する。【解決手段】ディスクドライブ１００の設置方向が光ディスク１をトレイ２に水平に保持する横置きであるか、垂直に保持する縦置きであるかを検出する検出スイッチ１４を設ける。この検出スイッチ１４の出力に基づいて、ディスクドライブ１００が横置きと判別された場合は、トレイモータを通常の速度で回転させてトレイ２を高速で開閉し、ディスクドライブ１００が縦置きと判別された場合は、トレイモータを通常の速度より遅い速度で回転させて、トレイ２をゆっくりと開閉する。【選択図】    図３
2004280985.tif 000002
【特許請求の範囲】
【請求項１】
パーソナルコンピュータに搭載されるディスクドライブのトレイを開閉するための装置であって、ディスクを保持するトレイと、このトレイをドライブから排出しまたはドライブへ収納するためのステップモータからなるトレイモータと、このトレイモータを制御する制御部とを備えたディスクドライブのトレイ開閉装置において、
ディスクドライブの設置方向がディスクをトレイに水平に保持する横置きであるか、ディスクをトレイに垂直に保持する縦置きであるかを検出する検出スイッチを設け、
前記制御部は、前記検出スイッチの検出出力に基づいて、前記ディスクドライブが横置きか縦置きかを判別し、
横置きであると判別した場合は、前記トレイモータの速度およびステップ数が通常値に設定された横置設定情報を選択して、当該設定情報に基づき前記トレイモータ駆動部を制御し、
縦置きであると判別した場合は、前記トレイモータの速度およびステップ数が通常値よりも小さく設定された縦置設定情報を選択して、当該設定情報に基づき前記トレイモータを制御することを特徴とするディスクドライブのトレイ開閉装置。
【請求項２】
パーソナルコンピュータに搭載されるディスクドライブのトレイを開閉するための装置であって、ディスクを保持するトレイと、このトレイをドライブから排出しまたはドライブへ収納するためのステップモータからなるトレイモータと、このトレイモータを制御する制御部とを備えたディスクドライブのトレイ開閉装置において、
ディスクドライブの設置方向がディスクをトレイに水平に保持する横置きであるか、ディスクをトレイに垂直に保持する縦置きであるかを前記パーソナルコンピュータの画面上で設定する設定手段を設け、
前記設定手段により横置きが設定された場合は、前記トレイモータの速度およびステップ数が通常値に設定された横置設定情報をパーソナルコンピュータからディスクドライブへ送信し、
前記設定手段により縦置きが設定された場合は、前記トレイモータの速度およびステップ数が通常値よりも小さく設定された縦置設定情報をパーソナルコンピュータからディスクドライブへ送信し、
前記制御部は、前記パーソナルコンピュータから送られてきた設定情報に基づいて前記トレイモータを制御することを特徴とするディスクドライブのトレイ開閉装置。
【請求項３】
ディスクドライブのトレイを開閉するための装置であって、ディスクを載置するトレイと、このトレイをドライブから排出しまたはドライブへ収納するためのトレイモータと、このトレイモータを制御する制御部とを備えたディスクドライブのトレイ開閉装置において、
ディスクドライブの設置方向がディスクをトレイに水平に保持する横置きであるか、ディスクをトレイに垂直に保持する縦置きであるかを判別する判別手段を設け、
前記制御部は、ディスクドライブが横置きと判別された場合は、前記トレイモータが通常の速度で回転するよう当該モータを制御し、ディスクドライブが縦置きと判別された場合は、前記トレイモータが通常の速度より遅い速度で回転するよう当該モータを制御することを特徴とするディスクドライブのトレイ開閉装置。
【請求項４】
請求項３に記載のトレイ開閉装置において、
前記制御部は、ディスクドライブが横置きの場合に、トレイモータを通常の回転量だけ回転させ、ディスクドライブが縦置きの場合に、トレイモータを通常の回転量よりも少ない回転量だけ回転させることを特徴とするディスクドライブのトレイ開閉装置。
【請求項５】
請求項３または請求項４に記載のトレイ開閉装置において、
ディスクドライブの設置方向を検出する検出スイッチを設け、前記判別手段はこの検出スイッチの検出出力に基づいてディスクドライブが横置きか縦置きかを判別することを特徴とするディスクドライブのトレイ開閉装置。
【請求項６】
請求項３または請求項４に記載のトレイ開閉装置において、
ディスクドライブの設置方向を手動で設定する設定スイッチを設け、前記判別手段はこの設定スイッチの設定状態に基づいてディスクドライブが横置きか縦置きかを判別することを特徴とするディスクドライブのトレイ開閉装置。
【請求項７】
請求項３または請求項４に記載のトレイ開閉装置において、
ディスクドライブはパーソナルコンピュータに搭載され、当該コンピュータの画面上でディスクドライブの設置方向を設定し、前記判別手段はこの設定に基づいて横置きか縦置きかを判別することを特徴とするディスクドライブのトレイ開閉装置。
【発明の詳細な説明】
【０００１】
【発明の属する技術分野】
本発明は、例えばパーソナルコンピュータに搭載されるディスクドライブにおいて、ディスクが載置されるトレイを開閉する装置に関するものである。
【０００２】
【従来の技術】
一般にパーソナルコンピュータ（以下、パソコンという）には、ＣＤ−ＲＯＭやＣＤ−Ｒ、ＣＤ−ＲＷ、ＤＶＤ−ＲＡＭ、ＤＶＤ−ＲＷのような各種ディスクに対して記録再生を行うディスクドライブが搭載されている。これらのディスクをドライブにセットするには、オープン・クローズスイッチを操作してトレイをドライブ外部へ引き出し、トレイにディスクを載置した後、オープン・クローズスイッチを操作してトレイをドライブ内部へ収納する。また、記録再生を終了したディスクをドライブから取り出すには、同様に、オープン・クローズスイッチを操作してトレイをドライブ外部へ引き出し、トレイととともにディスクを排出する。
【０００３】
ところで、パソコンに搭載されているディスクドライブの設置方向は、パソコンの設置状態によって横置きになったり縦置きになったりする。横置きの場合はディスクがトレイに水平に保持され、縦置きの場合はディスクがトレイに垂直に保持される。ディスクドライブを横置きで使用する場合は、ディスクはトレイの上に安定に載置されているので、トレイが高速で移動してもディスクがトレイから脱落する心配はない。これに対して、ディスクドライブを縦置きで使用する場合は、ディスクはトレイの側面にフック等との係合により保持されているだけなので、トレイが高速で移動すると、係合が外れてディスクがトレイから脱落することがある。
【０００４】
この対策として、トレイの速度を縦置きの場合を基準として遅めに設定することが考えられるが、これによると、ディスクの脱落するおそれがない横置きの場合もトレイの速度が遅くなってしまい、ディスクの挿入や排出に時間がかかるという欠点がある。一方、下記の特許文献１〜３には、ディスクドライブにおけるトレイの速度制御の技術が記載されている。特許文献１は、トレイのスライドを低速で開始することにより、トレイ上でのディスクのずれを防止する技術を開示している。特許文献２は、トレイの速度をスライドの開始時と停止時で低速とし、その間は高速とすることにより、トレイ上でのディスクのずれを防止する技術を開示している。特許文献３は、高速移動するトレイを停止位置の手前で減速させるとともに、減速開始から停止位置に達するまでの期間の誤差を、高速移動速度とあらかじめ設定された停止位置到達時速度とに基づいて補正することにより減速開始のタイミングを最適化し、トレイ停止時の衝撃を緩和する技術を開示している。
【０００５】
【特許文献１】
特開２００１−２０９９９５号公報
【特許文献２】
特開２００１−２１６７０２号公報
【特許文献３】
特開２０００−２８５５６１号公報
【０００６】
【発明が解決しようとする課題】
しかしながら、上記各特許文献に記載されている技術は、トレイの移動開始時や停止前にトレイを減速することにより、ディスクのずれを防止したりトレイに加わる衝撃を緩和するための技術であって、ディスクドライブを縦置きで使用する場合のディスク脱落の対策について開示したものではないので、上述した問題点を解決することはできない。また、これらの文献においては、トレイを高速移動させることが前提であるから、ディスクドライブが縦置きの場合は、高速移動中にディスクが脱落するおそれのあることは避けられない。
【０００７】
本発明は、上記課題を解決するものであって、その目的とするところは、ディスクドライブが縦置きの場合にディスクの脱落を確実に防止できるとともに、ディスクドライブが横置きの場合はトレイを高速で開閉できる装置を提供することにある。
【０００８】
【課題を解決するための手段】
本発明に係るディスクドライブのトレイ開閉装置は、ディスクを載置するトレイと、このトレイをドライブから排出しまたはドライブへ収納するためのトレイモータと、このトレイモータを制御する制御部とを備えた装置であって、ディスクドライブの設置方向がディスクをトレイに水平に保持する横置きであるか、ディスクをトレイに垂直に保持する縦置きであるかを判別する判別手段を有する。そして、ディスクドライブが横置きと判別された場合は、制御部はトレイモータが通常の速度で回転するよう当該モータを制御し、ディスクドライブが縦置きと判別された場合は、制御部はトレイモータが通常の速度より遅い速度で回転するよう当該モータを制御する。
【０００９】
このようにすることで、ディスクドライブが縦置きの場合は、トレイモータが通常の速度より遅い速度で回転して、トレイの開閉がゆっくりと行われるため、ディスクがトレイに垂直に保持されていても、トレイからディスクが脱落することがなくなる。一方、ディスクドライブが横置きの場合は、もともとディスクがトレイから脱落するおそれがないので、トレイモータを通常の速度で回転させることによって、トレイを高速で開閉することができ、ディスクの挿入や排出に要する時間を短縮することができる。
【００１０】
また、本発明では、上記のように横置きと縦置きの場合とでトレイモータの速度を異ならせることに加えて、横置きと縦置きの場合とでトレイモータの回転量も異ならせる。すなわち、ディスクドライブが横置きの場合は、トレイモータを通常の回転量だけ回転させ、縦置きの場合は、トレイモータを通常の回転量よりも少ない回転量だけ回転させる。これによると、縦置きの場合のトレイ排出の際に、トレイの引き出し長さが短くなるので、ディスクの脱落をより確実に防止することができる。
【００１１】
本発明においては、ディスクドライブの設置方向を検出する検出スイッチを設け、この検出スイッチの検出出力に基づいてディスクドライブが横置きか縦置きかを判別することができる。これによると、ドライブの設置方向を自動的に検出してトレイの速度を制御することができる。この場合の検出スイッチとしては、例えば、振子によりドライブの傾きを検出する傾き検出スイッチが用いられる。
【００１２】
また、本発明においては、ディスクドライブの設置方向を手動で設定する設定スイッチを設け、このスイッチの設定状態に基づいてディスクドライブが横置きか縦置きかを判別することができる。これによると、ドライブが縦置きの場合でも、例えばディスクを速く排出したいような場合には、設定スイッチを横置きに設定することで、トレイを高速で引き出すことができる。
【００１３】
また、本発明においては、ディスクドライブがパソコンに搭載される場合、当該パソコンの画面上でディスクドライブの設置方向を設定してもよく、この設定に基づいて横置き、縦置きを判別することができる。これによると、パソコン本体やディスクドライブに検出スイッチや設定スイッチが不要となり、コストを低減することができる。
【００１４】
【発明の実施の形態】
図１は、本発明が適用されるディスクドライブ１００の一例を示したブロック図である。図１において、１はＣＤ−ＲＯＭやＣＤ−Ｒ、ＣＤ−ＲＷ、ＤＶＤ−ＲＡＭ、ＤＶＤ−ＲＷのような記録媒体からなる光ディスク、２は光ディスク１を保持するトレイ、３は光ディスク１へ光ビームを照射するとともにその反射光を受光する光ピックアップ、４は光ディスク１を回転させるディスクモータ、５はトレイ２をドライブから排出しまたはドライブへ収納するためのステップモータからなるトレイモータである。６は信号処理部であって、光ピックアップ３が光ディスク１から読み取った信号や、光ディスク１に書き込む信号を処理する。７は光ピックアップ３を駆動するピックアップ駆動部、８はディスクモータ４を駆動するディスクモータ駆動部、９はトレイモータ５を駆動するトレイモータ駆動部である。１０はメモリであって、ＲＯＭ１０ａおよびＲＡＭ１０ｂから構成される。１１はディスクドライブ１００を後述するパソコンと接続するためのインターフェイス、１２はトレイ２の開閉を行なう場合に操作する操作部、１３はＬＥＤ等のランプからなる表示部である。１４はパソコン本体に設けられている傾き検出スイッチであって、例えば、揺動自在な振子と、この振子の動きに応じて開閉動作を行なうマイクロスイッチとで構成される。１５はディスクドライブ１００の各部の制御を行う制御部であって、本発明における判別手段を構成するＣＰＵを備えている。
【００１５】
図２および図３は、上記のディスクドライブ１００を搭載したパソコン２０の例を示している。図において、２１はパソコン２０の本体で、この本体２１には、ディスクドライブ１００と傾き検出スイッチ１４とが内蔵されている。なお、図２（ｂ）と図３（ｂ）では、ディスクドライブ１００の図示を省略してある。２２は光ディスク１が挿入・排出される開口部、２３は磁気ディスク（図示省略）が挿入・排出される開口部、２４はトレイ２を引き出したり収納したりするためのオープン・クローズスイッチ、２５は電源ランプ、２６は光ディスク１にアクセス中であることを表示するアクセスランプ、２７は磁気ディスクにアクセス中であることを表示するアクセスランプ、２８は磁気ディスクを排出するためのイジェクトボタンである。オープン・クローズスイッチ２４は図１の操作部１２を構成し、アクセスランプ２６は図１の表示部１３を構成する。
【００１６】
図２は、パソコン２０が横置き状態に設置され、これに伴ってディスクドライブ１００も横置きで使用される例を示している。横置きの場合は、図２（ｂ）に示すように、光ディスク１がトレイ２の上面に載置されて水平に保持される。また、図３は、パソコン２０が縦置き状態に設置され、これに伴ってディスクドライブ１００も縦置きで使用される例を示している。縦置きの場合は、図３（ｂ）に示すように、光ディスク１がトレイ２の側面にフック（図示省略）との係合により保持される。
【００１７】
図４は、ディスクドライブ１００におけるトレイ開閉動作を示したフローチャートであって、制御部１５により実行される手順を表している。以下、このフローチャートに従って、トレイ２の開閉動作を説明する。制御部１５は、操作部１２のオープン・クローズスイッチ２４が押されたか否かを監視しており（ステップＳ１）、オープン・クローズスイッチ２４が押されると、次に、傾き検出スイッチ１４の検出出力を読み込む（ステップＳ２）。そして、読み込んだ検出出力に基づいて、ディスクドライブ１００が横置きか縦置きかを判別する（ステップＳ３）。例えば、パソコン２が図２の状態に設置されている場合、つまりディスクドライブ１００が横置きの場合は、傾き検出スイッチ１４の出力はオフであり、パソコン２が図３の状態に設置されている場合、つまりディスクドライブ１００が縦置きの場合は、傾き検出スイッチ１４の出力はオンになる。そこで、制御部１５は、このオン・オフ出力から横置き、縦置きを判別する。
【００１８】
ディスクドライブ１００が横置きと判別された場合は（ステップＳ３：ＮＯ）、
制御部１５はメモリ１０のＲＯＭ１０ａから横置き設定情報を読み込む（ステップＳ４）。この横置き設定情報は、ステップモータからなるトレイモータ５の速度とステップ数とを含んでおり、速度Ｖ１は通常の速度（高速）に設定され、ステップ数Ｎ１も通常のステップ数（トレイ２を完全に排出するのに必要なステップ数）に設定されている。次に、制御部１５は、この横置き設定情報をトレイモータ駆動部９に与えて、トレイモータ５を速度Ｖ１、ステップ数Ｎ１で駆動する（ステップＳ６）。これにより、トレイ２はトレイモータ５の回転に応じて高速で移動し、トレイオープンの場合は、図２（ｂ）に示したように、開口部２２からＡ方向に完全に引き出され、トレイクローズの場合は、Ａ方向と逆方向に移動してディスクドライブ１００に収納される。いずれの場合も、トレイ２は高速で移動するが、ディスク１はトレイ２の上に安定に載置されているから、脱落する心配はない。
【００１９】
一方、ディスクドライブ１００が縦置きと判別された場合は（ステップＳ３：ＹＥＳ）、制御部１５はメモリ１０のＲＯＭ１０ａから縦置き設定情報を読み込む（ステップＳ５）。この縦置き設定情報もトレイモータ５の速度とステップ数とを含んでいるが、速度Ｖ２は通常の速度Ｖ１よりも低速（例えば、Ｖ１の５０％）に設定され、また、ステップ数Ｎ２も通常のステップ数Ｎ１より少なく（例えば、Ｎ１の８０％）設定されている。次に、制御部１５は、この縦置き設定情報をトレイモータ駆動部９に与えて、トレイモータ５を速度Ｖ２、ステップ数Ｎ２で駆動する（ステップＳ６）。これにより、トレイ２はトレイモータ５の回転に応じて低速で移動し、トレイオープンの場合は、図３（ｂ）に示したように、開口部２２からＢ方向に８０％程度引き出された状態で停止する。また、トレイクローズの場合は、Ｂ方向と逆方向に移動してディスクドライブ１００に収納される。いずれの場合も、トレイ２は低速で移動するため、ディスク１がトレイ２の側面から係合が外れて脱落するおそれはない。
【００２０】
以上のようにして、上述した実施形態によれば、ディスクドライブ１００が縦置きの場合（図３）は、トレイモータ５が低速Ｖ２で回転して、トレイ２の開閉がゆっくりと行われるため、光ディスク１がトレイ２に垂直に保持されていても、トレイ２から光ディスク１が脱落することがなくなる。一方、ディスクドライブ１００が横置きの場合（図２）は、もともと光ディスク１がトレイ２から脱落するおそれがないので、トレイモータ５を高速Ｖ１で回転させることによって、トレイ２を高速で開閉することができ、光ディスク１の挿入や排出に要する時間を短縮することができる。また、ディスクドライブ１００が縦置きの場合に、トレイモータ５の回転量であるステップ数Ｎ２を通常のステップ数Ｎ１よりも小さくすることにより、トレイ２をオープンした際にトレイ２の引き出し長さが短くなるので、光ディスク１の脱落をより確実に防止することができる。さらに、パソコン本体２１に傾き検出スイッチ１４を設け、このスイッチの検出出力に基づいてディスクドライブ１００が横置きか縦置きかを判別するようにしたので、ドライブの設置方向を自動的に検出してトレイ２の速度を制御することができる。
【００２１】
図５は、本発明の他の実施形態を説明する図であって、ディスクドライブ１００の横置き、縦置きを検出するスイッチとして、前記の傾き検出スイッチ１４に代えてパソコン本体２１から突出する押ボタンスイッチ１４ａを設けた例である。図５のように、パソコン本体２１が縦置き状態で設置されている場合は、押ボタンスイッチ１４ａはオフしているが、パソコン本体２１が横置き、すなわち押ボタンスイッチ１４ａの設けられている面が下側となるように設置されると、押ボタンスイッチ１４ａが設置面に押されてオンする。したがって、制御部１５は、この押ボタンスイッチ１４ａのオン・オフ出力から横置き、縦置きを判別することができる。
【００２２】
図６は、本発明のさらに他の実施形態を説明する図であって、ディスクドライブ１００の設置方向を手動で設定する設定スイッチ１４ｂを設けたものである。設定スイッチ１４ｂは、例えばスライドスイッチから構成され、これを図の左右方向に切り替えることによって、横置き・縦置きを設定する。したがって、制御部１５は、この設定スイッチ１４ｂの設定状態に基づいてディスクドライブ１００が横置きか縦置きかを判別することができる。これによると、ディスクドライブ１００を図６のような縦置きで使用する場合であっても、光ディスク１を速く取り出したいような場合には、設定スイッチ１４ｂを横置き側に設定することで、トレイ２を高速で引き出すことができる。
【００２３】
以上の実施形態では、ディスクドライブ１００の横置き・縦置きの判別を、傾き検出スイッチ１４、押しボタンスイッチ１４ａ、設定スイッチ１４ｂなどのスイッチの出力に基づいて行うようにしたが、本例のようにディスクドライブ１００がパソコン２０に搭載される場合は、パソコン２０の画面上でディスクドライブ１００の横置き・縦置きを設定してもよい。この場合は、パソコン２０が本発明における判別手段を構成する。図７〜図１０はそのような実施形態を説明する図である。
【００２４】
図７は、パソコン本体２１にモニタ３０とキーボード３１およびマウス３２を接続したシステム構成図である。図８は、パソコン２０の起動時にモニタ３０の画面に表示される設置方向設定画面の例である。図９は、パソコン２０においてディスクドライブ１００の横置き・縦置きを設定する手順を示したフローチャートであって、パソコン２０のＣＰＵ（図示省略）が実行する手順を表している。また、図１０はディスクドライブ１００におけるトレイ開閉動作の手順を示したフローチャートであって、制御部１５が実行する手順を表している。
【００２５】
次に、図９および図１０のフローチャートを参照して、パソコン２０で横置き・縦置きを設定する場合のトレイ２の開閉動作について説明する。図９において、まず、パソコン２０の起動時にモニタ３０の画面に表示される図８の設置方向設定画面４０で、ディスクドライブ１００が横置きか縦置きかを設定する（ステップＳ１１）。設置方向設定画面４０には、横置きと縦置きのいずれかを設定する設定部４１と、設定した項目を確定するためのＯＫボタン４２と、設定を取り消すためのキャンセルボタン４３と、設定項目やボタンを選択するためのポインタ４４とが表示されている。設定部４１における縦置きと横置きの切り替えは、ポインタ４４により行うことができる。この設置方向設定画面４０は、本発明における設定手段を構成する。
【００２６】
上記のようにして設置方向が設定されると、パソコン２０では、この設定内容に基づいてディスクドライブ１００が横置きか縦置きかを判別する（ステップＳ１２）。そして、横置きと判別した場合は（ステップＳ１２：ＮＯ）、メモリに設定されている横置き設定情報を読み込む（ステップＳ１３）。この横置き設定情報は、図４の場合と同様に、トレイモータ５の速度とステップ数とを含んでおり、速度Ｖ１は通常の速度（高速）に設定され、ステップ数Ｎ１も通常のステップ数（トレイ２を完全に排出するのに必要なステップ数）に設定されている。続いてパソコン２０は、この横置き設定情報をディスクドライブ１００へ送信する（ステップＳ１５）。ディスクドライブ１００では、インターフェイス１１を介して受信した横置き設定情報を、メモリ１０のＲＡＭ１０ｂへ格納する。
【００２７】
一方、ディスクドライブ１００が縦置きと判別された場合は（ステップＳ１２：ＹＥＳ）、メモリに設定されている縦置き設定情報を読み込む（ステップＳ１４）。この縦置き設定情報も、図４の場合と同様に、トレイモータ５の速度とステップ数とを含んでおり、速度Ｖ２は通常の速度Ｖ１よりも低速（例えば、Ｖ１の５０％）に設定され、また、ステップ数Ｎ２も通常のステップ数Ｎ１より少なく（例えば、Ｎ１の８０％）設定されている。続いてパソコン２０は、この縦置き設定情報をディスクドライブ１００へ送信する（ステップＳ１５）。ディスクドライブ１００では、インターフェイス１１を介して受信した縦置き設定情報を、メモリ１０のＲＡＭ１０ｂへ格納する。
【００２８】
次に、ディスクドライブ１００側でのトレイ開閉動作を説明する。図１０において、制御部１５は、操作部１２のオープン・クローズスイッチ２４が押されたか否かを監視しており（ステップＳ２１）、オープン・クローズスイッチ２４が押されると、次に、パソコン２０から受信してＲＡＭ１０ｂに格納した設定情報を読み出す（ステップＳ２２）。
【００２９】
設定情報が横置き設定情報の場合は、制御部１５は、この横置き設定情報をトレイモータ駆動部９に与えて、トレイモータ５を速度Ｖ１、ステップ数Ｎ１で駆動する（ステップＳ２３）。これにより、トレイ２はトレイモータ５の回転に応じて高速で移動し、トレイオープンの場合は、図２（ｂ）に示したように、開口部２２からＡ方向に完全に引き出され、トレイクローズの場合は、Ａ方向と逆方向に移動してディスクドライブ１００に収納される。いずれの場合も、トレイ２は高速で移動するが、ディスク１はトレイ２の上に安定に載置されているから、脱落する心配はない。
【００３０】
また、設定情報が縦置き設定情報の場合は、制御部１５は、この縦置き設定情報をトレイモータ駆動部９に与えて、トレイモータ５を速度Ｖ２、ステップ数Ｎ２で駆動する（ステップＳ２３）。これにより、トレイ２はトレイモータ５の回転に応じて低速で移動し、トレイオープンの場合は、図３（ｂ）に示したように、開口部２２からＢ方向に８０％程度引き出された状態で停止する。また、トレイクローズの場合は、Ｂ方向と逆方向に移動してディスクドライブ１００に収納される。いずれの場合も、トレイ２は低速で移動するため、ディスク１がトレイ２の側面から係合が外れて脱落するおそれはない。
【００３１】
このように、パソコン２０の画面上でディスクドライブ１００の設置方向を設定して、横置き、縦置きを判別するようにすれば、パソコン本体２１やディスクドライブ１００に、傾き検出スイッチ１４（図２、図３）もしくは押しボタンスイッチ１４ａ（図５）のような検出スイッチや、設定スイッチ１４ｂ（図６）が不要となり、コストを低減することができる。
【００３２】
なお、上記の例では、パソコン２０からディスクドライブ１００へ送信される横置き設定情報および縦置き設定情報は、トレイモータ５の速度とステップ数とを含んでいるが、これらの設定情報は単に横置きか縦置きかだけを示す情報であってもよい。この場合は、設定情報を受け取ったディスクドライブ１００側において、横置き・縦置きに応じてあらかじめメモリ１０に記憶されているトレイモータ５の速度とステップ数とを読み出すようにすればよい。
【００３３】
以上述べた実施形態においては、パソコンに搭載されるディスクドライブを例に挙げたが、本発明は、パソコン以外の機器に搭載されるディスクドライブにも適用することができる。また、ディスクドライブは機器に内蔵されるものだけに限らず、機器に外付けされるものであってもよい。この場合は、横置き・縦置きを検出するスイッチはドライブ自身に設けられる。
【００３４】
【発明の効果】
本発明によれば、ディスクドライブが縦置きの場合は、トレイモータが低速で回転してトレイの開閉がゆっくりと行われるため、ディスクがトレイに垂直に保持されていても、トレイからディスクが脱落するのを防止することができる。また、ディスクドライブが横置きの場合は、トレイモータを通常の速度で回転させてトレイを高速で開閉できるので、ディスクの挿入や排出に要する時間を短縮することが可能となる。
【図面の簡単な説明】
【図１】本発明が適用されるディスクドライブのブロック図である。
【図２】ディスクドライブが横置きで使用される例を示した図である。
【図３】ディスクドライブが縦置きで使用される例を示した図である。
【図４】トレイ開閉動作を示したフローチャートである。
【図５】本発明の他の実施形態を説明する図である。
【図６】本発明の他の実施形態を説明する図である。
【図７】パソコン本体にモニタやキーボード等を接続したシステム構成図である。
【図８】モニタの画面に表示される設置方向設定画面の例である。
【図９】パソコンにおいてディスクドライブの横置き・縦置きを設定する手順を示したフローチャートである。
【図１０】ディスクドライブにおけるトレイ開閉動作の手順を示したフローチャートである。
【符号の説明】
１    光ディスク
２    トレイ
５    トレイモータ
９    トレイモータ駆動部
１４  傾き検出スイッチ
１４ａ  押しボタンスイッチ
１４ｂ  設定スイッチ
１５  制御部
２０  パーソナルコンピュータ
２４  オープン・クローズスイッチ
４０  設置方向設定画面
１００  ディスクドライブ
【図１】
2004280985.tif 000003
【図２】
2004280985.tif 000004
【図３】
2004280985.tif 000005
【図４】
2004280985.tif 000006
【図５】
2004280985.tif 000007
【図６】
2004280985.tif 000008
【図７】
2004280985.tif 000009
【図８】
2004280985.tif 000010
【図９】
2004280985.tif 000011
【図１０】
2004280985.tif 000012